(57)【要約】  表面に沿って第１の位置から第２の位置に機構を自律的に移動させることを可能にする転動装置（１０）および方法。これは、移動する機構に転動装置（１０）を組み込み、転動装置（１０）に以下の装置：即ち、ワイヤレス受信機、制御装置、位置取得手段、転動要素（２０）を駆動するための駆動手段、および電子装置に電力を供給する電源を配置することによって可能になる。
2020509454.tif 000002
【特許請求の範囲】
【請求項１】
機構に組み込まれ、表面に沿って第１の位置から第２の位置に前記機構を自律的に移動させる転動装置（rolling arrangement）（１０）であって、前記転動装置のハウジングの第１の端部に配置され、前記転動装置（１０）が動かされるときに、前記表面と接触する転動要素（rolling element）を含み、
前記転動装置（１０）の前記ハウジング内に配置された以下の装置：即ち、
互いに接続されたワイヤレス受信機（３０）および制御装置（control device）（４０）と、
前記制御装置（４０）に接続され、その周囲に対する転動装置（１０）の前記位置を取得する位置手段（５０）と、さらに、
前記制御装置および前記転動要素（２０）に接続され、前記位置手段（５０）によって取得された前記第１の位置に従って前記転動要素（２０）の移動を駆動および制御する駆動手段（６０）と、移動命令および前記第２の位置を含む受信ワイヤレス信号と、を含み、さらに、
前記ハウジング内に配置された前記装置に接続された電源（７０）と、を備えることを特徴とする、転動装置。
【請求項２】
前記制御装置（controller）（４０）に接続されたワイヤレス送信機（８０）をさらに備える、請求項１に記載の転動装置。
【請求項３】
前記転動要素（２０）に接続された前記駆動手段（６０）は、一つ以上のボールまたはチェーンを備えることを特徴とする、請求項１または２に記載の転動装置。
【請求項４】
前記シリンダ内の上部位置と下部位置との間で前記ピストンが移動でき、且つ前記転動要素（２０）が前記ピストンに接続されている前記ハウジング内で往復運動可能に配置されたピストンをさらに備えることを特徴とする、請求項１乃至３の何れか一項に記載の転動装置。
【請求項５】
前記転動装置が家具に組み込まれることを特徴とする、請求項１乃至４の何れか一項に記載の転動装置。
【請求項６】
前記転動装置が可動壁要素に組み込まれることを特徴とする、請求項１乃至５の何れか一項に記載の転動装置。
【請求項７】
前記転動装置がパレットに組み込まれることを特徴とする、請求項１乃至６の何れか一項に記載の転動装置。
【請求項８】
表面に沿って第１の位置から第２の位置に少なくとも一つの機構を自律的に移動させる方法であって、前記方法は以下のステップ：即ち、
転動装置（１０）であって、前記転動装置が動くときに転動要素（２０）が表面と接触するように、前記転動装置（１０）のハウジングの第１の端部に配置された転動要素（２０）を含む、転動装置（１０）を用意し、
移動されるべき前記機構に前記ローラー装置（１０）が組み込むと共に、前記機構が移動するときに前記表面と接触するように配置し、
さらに前記転動装置（１０）は、前記転動装置（１０）の前記ハウジング内に配置される以下の装置：即ち、互いに接続されたワイヤレス受信機（３０）および制御装置（４０）と、前記制御装置（４０）に接続され、その周囲に対する前記転動装置の前記位置を取得する位置手段（５０）と、前記制御装置（４０）および前記転動要素（２０）に接続され、前記転動要素（２０）の移動を駆動および制御する駆動手段（６０）と、を含み、
前記ワイヤレス受信機（３０）による前記転動装置（１０）の前記制御装置（４０）内での移動命令を受信し、
前記転動装置（１０）内の前記位置手段（５０）に、その周囲に対する最初の現在位置を取得させ、
前記転動要素（２０）の前記移動（movement）を制御するために前記制御装置（４０）で受信した移動命令を実行し、前記取得された前記転動装置（１０）の第１の位置および経路と第２の位置を含む前記受信された前記移動命令に基づいて移動し、
前記少なくとも一つの転動装置（１０）が組み込まれた前記機構を前記経路に応じて、前記第１の位置から前記第２の位置に移動することを特徴とする、方法。
【請求項９】
請求項８に記載の方法であって、さらに、
移動される前記機構内に少なくとも二つの転動装置（１０）が組み込まれ、さらに、
前記機構に接続された他の前記転動装置（１０）の前記動きを制御するマスターとして機能するように、一つの転動装置（１０）を配置することを特徴とする、方法。
【請求項１０】
請求項８に記載の方法であって、さらに、
エリア内で移動をする機構のグループに含まれる二つ以上の機構に転動装置（１０）が組み込まれ、さらに、
前記グループに含まれる他の前記機構に接続された他の前記転動装置（１０）の動きを制御するマスターとして機能する装置に接続された一つの転動装置（１０）を配置することを特徴とする、方法。
【請求項１１】
請求項１０に記載の方法であって、いくつかの前記機構のグループの移動は、予め設定されたシナリオに従って制御されることを特徴とする、方法。
【請求項１２】
請求項１１に記載の方法であって、シナリオは：
グループに含まれる転動装置（１０）の第１の位置情報を記録し、
グループに含まれる転動装置（１０）の第２の位置情報を記録し、
グループに含まれる他の転動装置（１０）のマスターとして機能する一つの転動装置（１０）を選択し、さらに、
前記転動装置（１０）の移動経路および移動順序を設定することによって確立されることを特徴とする、方法。
【請求項１３】
転動装置（１０）の動きを、遠隔制御を用いて制御されることを特徴とする、請求項８乃至１２の何れかに記載の方法。
【請求項１４】
前記遠隔制御は、音声、ジェスチャーまたは触覚入力によって制御される、請求項１３に記載の方法。
【発明の詳細な説明】
【技術分野】
【０００１】
本発明は、表面に沿って機構（device）を移動させるために、機構に組み込まれ、且つ遠隔制御される転動装置（rolling arrangement）に関する。本発明はさらに、予め設定されたシナリオに従って機構のグループ（group of devices）を自動的に移動させるための方法およびシステムに関する。移動される機構は、例えば家具および壁要素とすることができる。
【背景技術】
【０００２】
多くの場合、家具が配置されているフロアスペースにアクセスするには、家具を移動する必要がある。その理由は、例えば、家具が置かれている場所のフロアスペースを清掃するためである。家具を移動しやすくするために、家具には様々な種類の車輪を設けることができる。
【０００３】
移動を容易にする車輪を備えることができる他の種類の機構もある。これらの機構は、例えば軽量仕切り壁（lightweight partition wall）である。これを移動することで間取り図のレイアウトを変更することができる。同様の構造要素を移動するのが望ましい場合がある他のケースも考えられる。
【０００４】
本出願人は、家具、可動壁など、機構を表面に沿って移動させるための機構に組み込むことができ、物理的条件や持ち上げる能力に関係なく誰でも使用できる転動装置が組み込まれている機構を以前開発した。この装置は、特許文献１に記載されている。
【０００５】
前記転動装置は、例えば家具の脚に配置された円筒状スリーブ装置と、円筒状スリーブ装置内に配置された移動可能なピストンとを含んでいる。ボール形または球形のホイールがピストンに配置されている。ピストンは、バネを備えクリックシステム（click system）の助けを借りて、上部位置（upper position）と下部位置（lower position）との間を移動する。ピストンが下部位置にあるとき、立設している家具を床の上で転動させることができ、一方、ピストンが上部位置にあるとき、ホイールは円筒状スリーブ装置の内側にあり、転動装置が配置されている家具の脚は床の上に立設する。したがって、家具にわずかな力が加えられたときに、家具を床に不意に転動することがなく、所望の位置に立設させることができる。ソリューションは完全に機械的に動作する。
【０００６】
出願人はこの概念をさらに発展させ、転動装置を有するピストンを上部位置と下部位置との間で移動する自動アクチュエータシステム（automatic actuator system）を有する転動要素（rolling element）を提供した。上部位置は受動的な静止位置であり、下部位置は表面に沿って転動装置を動かすためのアクティブな位置である。アクチュエータはワイヤレスで制御できる。
【０００７】
上述のように、遠隔操作しながら転動装置を上部位置と下部位置との間を移動できるが、表面上の様々な位置の間を移動するために転動装置を所望の方向に押したり誘導したりする必要があった。
【０００８】
本発明は、概念をさらに発展させたものであり、ある位置から別の位置に、転動装置を自動的に移動するように制御される。
【０００９】
物体を操作および移動するための様々な装置が、先行技術に記載されている。一例は、車輪付きの台車である。これは、様々な物体の運搬や移動に使用できる。台車は遠隔操作することも、移動しているエリアのフロアのガイドなどに従って、予め設定された経路をたどることもできる。
【００１０】
別の例は、Ｚｈｉｄｏｎｇ  Ｗａｎｇおよび他、出版物の「複数の行動に基づくロボットを使用した協働物体操作の実現」、１９９６年１１月１、４−８日大阪国際会議Ｉｎｔｅｌｌｉｇｅｎｔ  Ｒｏｂｏｔｓ  ａｎｄ  Ｓｙｓｔｅｍｓ’９６，ＩＲＯＳ  ９６、Ｐｒｏｃｅｅｄｉｎｇｓ  ｏｆ  ｔｈｅ  １９９６  Ｌ  ＥＥＥ／ＲＳＪ、１９９６年１１月４日（１９９６−１１−０４）米国ニューヨークＩＥＥＥ米国ｖｏｌ．１、３１０−３１７ページ、ＸＰ０１０２１２３９５、ＤＯＩ：１０．１１０９／ＩＲＯＳ．１９９６．５７０６９３、ＩＳＢＮ：９７８−０−７８０３−３２１３−３に掲載されている。
【００１１】
このソリューションでは、機構または物体をある位置から別の位置に移動するために、いくつかの協働する外部ロボットが必要である。外部ロボットは、最初に移動する機構まで移動する必要があり、物体と相互作用することで適切なグリップを得てから、次に、それらの動きを調整して物体を移動する。
【００１２】
先行技術の解決策は複雑であり、部屋内のいくつかの物体を同時に効率的に移動および再配置するには適していない。また移動する物体が占めるスペースに加えてスペースをとる必要がある。
【先行技術文献】
【特許文献】
【００１３】
【特許文献１】ノルウェー特許第３１６７６０号明細書
【発明の概要】
【発明が解決しようとする課題】
【００１４】
本発明の目的は、表面に沿って第１の位置から第２の位置に機構を自律的に移動させるために、家具、可動壁などの機構に組み込まれるように適合する転動装置を提供することである。
【００１５】
また、表面に沿って第１の位置から第２の位置に少なくとも一つの機構を自律的に移動させる方法を提供することも目的である。これは、本発明による転動装置を移動する機構に組み込むことにより可能である。本発明の一実施形態では、第１の位置から第２の位置に機構のグループ（group of device）を自律的に移動させる方法が説明される。
【課題を解決するための手段】
【００１６】
本発明は、表面に沿って第１の位置から第２の位置に機構を自律的に移動させるために機構に組み込まれる転動装置によって規定され、転動装置が移動するときに表面に接触するように転動装置のハウジングの第１の端部に配置された転動要素を備える。
転動装置のハウジング内に配置された以下の装置をさらに備えるものである。即ち、転動装置は、
互いに接続されたワイヤレス受信機および制御装置と、
制御装置に接続され、その周囲に対する転動装置の位置を取得する位置手段（position means）と、さらに、
位置手段によって取得された第１の位置に従って転動要素の移動（movement）を駆動および制御するために、制御装置および転動要素に接続された駆動手段と、移動命令および第２の位置を含む受信ワイヤレス信号と、さらに、
ハウジングに配置された機構に接続された電源を備える。
【００１７】
転動装置のさらなる特徴は、特許請求の範囲に規定される。
【００１８】
本発明は、表面に沿って第１の位置から第２の位置に少なくとも一つの機構を自律的に移動させる方法によってさらに規定され、以下のステップを含む。即ち、この方法は、
転動装置のハウジングの第１の端部に配置され、前記転動装置が動くときに表面と接触する転動要素を含む転動装置を用意し、
移動する機構に転動装置が組み込まれ、機構を移動するときに表面と接触するように配置され、さらに転動装置は、転動装置のハウジング内に配置される以下の装置：即ち、
互いに接続されたワイヤレス受信機および制御装置と、制御装置に接続され、その周囲に対する転動装置の位置を取得する位置手段と、制御装置および転動要素に接続され、転動要素の移動を駆動および制御する駆動手段と、を含んでおり、
前記方法は、
ワイヤレス受信機手段による転動装置の制御装置内での移動命令を受信し、
転動装置内の位置手段に、その周囲に対する最初の現在位置を取得させ、
転動要素の移動（movement）を制御するために制御装置で受信した移動命令を実行し、取得された転動装置の第１の位置および経路と第２の位置を含む受信された移動命令に基づいて移動し、さらに、
少なくとも一つの転動装置が組み込まれた機構を経路に応じて、第１の位置から第２の位置に移動させるステップを備える。
【００１９】
方法のさらなる特徴は、特許請求の範囲に規定されている。
【図面の簡単な説明】
【００２０】
【図１】本発明による転動装置を示すブロック図である。
【発明を実施するための形態】
【００２１】
家具や壁要素などの移動機構用の様々な種類の転動装置が存在している。ただし、これらの装置では、機構を再配置および移動する自己駆動型の自律的な方法は提供できない。
【００２２】
本発明の目的は、表面に沿って第１の位置から第２の位置に機構を自律的に移動させるために、家具、可動壁などの機構に組み込まれるように適合する転動装置を提供することである。
【００２３】
本発明は、本発明に係る転動装置に含まれる様々な機構を示す図を参照して、本開示による実施形態の非限定的な例と共に、さらに説明される。
【００２４】
転動装置１０は、表面に沿って第１の位置から第２の位置に機構を自律的に移動させるための機構に接続されている。
【００２５】
図１は、本発明による転動装置に含まれる様々な装置を示す。転動装置１０は、ハウジングと、ハウジングの第１の端部に配置され、機構が移動するときに表面と接触するように配置された転動要素２０と、を備える。ハウジングは、転動装置１０に含まれる様々な装置を保持するために部分的に中空である。
【００２６】
転動装置１０は、ハウジング内に配置された一組の様々な装置をさらに備える。
【００２７】
一つの装置はワイヤレス受信機３０であり、別の装置は制御装置４０である。これらは、受信機３０がワイヤレス制御信号を受信できるように互いに信号によって接続されている。
【００２８】
転動装置１０のハウジング内に配置された別の装置は、制御装置４０に接続され、その周囲に対する転動装置１０の位置を取得するための位置手段５０である。位置を取得する様々な方法がいくつかある。
【００２９】
一例は、転動装置１０の位置を監視する外部装置から位置を決定することである。次いで、位置は転動装置１０の位置手段５０に伝達されることができる。これには、様々な公知の方法を使用することができる。一例は、カメラ、好ましくは転動装置１０に接続された機構を監視する３Ｄカメラを使用することである。別の例は、転動装置１０または移動される機構に接続されたＲＦＩＤチップを使用することである。その後、位置は超音波法によって検出される。さらに別の方法は、三角測量法によってＢｌｕｅｔｏｏｔｈ（登録商標）屋内測位（indoor positioning）を適用することである。これは、転動装置１０にＢｌｕｅｔｏｏｔｈ送信機を装備し、転動装置１０に接続された機構が設置された部屋に少なくとも３つのアンテナを配置することにより可能になる。これらはすべて周知の方法であり、ここではこれ以上の説明は省略する。
【００３０】
駆動手段６０は、制御装置４０および転動要素２０にさらに接続され、位置手段５０によって取得された第１の位置と、移動命令（movement instruction）および第２の位置を含む受信ワイヤレス信号に従って転動要素２０の移動を駆動および制御する。
【００３１】
転動要素２０を移動するための様々な種類の公知の駆動手段が利用可能である。一実施形態では、転動要素は、モータに接続された一つ以上のボールによって駆動される。別の実施形態では、転動要素２０は、モータに接続されたチェーンによって駆動される。モータは、電気モータまたは電磁モータであるのが好ましい。
【００３２】
ハウジング内に配置された様々な電子装置（electronic device）を駆動するための電源７０は、様々な方法で提供することができる。一実施形態では、電子装置に接続された電池によって電力が提供される。別の実施形態では、電力は、時間変動する電場（time-varying electric）、磁場、または電磁場に基づいて、ワイヤレス電力伝送手段（wireless power transfer means）によって提供される。電界エネルギーを受け取るための受信機は、この実施形態では、転動装置１０のハウジングに配置される。受信したエネルギー場は、ハウジングに配置された様々な電子装置の電源として使用される電流に変換される。本発明の別の実施形態では、ワイヤレス電力伝送は、ハウジング内に配置された電子装置に接続された電池を充電するために使用される。
【００３３】
本発明の一実施形態では、転動装置１０は、ワイヤレス送信機８０をさらに備える。この実施形態は、いくつかの一組の転動装置１０の同時操作を調整するのに役立つ。転動装置１０の手段によって少なくとも一つの機構を自律的に移動させるための本発明の方法を説明する場合、どのように実装させるかを以下に説明する。
【００３４】
一実施形態では、転動装置１０は、ハウジング内で往復運動可能に配置されたピストンをさらに備え、ピストンがシリンダ内の上部位置と下部位置との間を移動できるようにする。この実施形態では、転動要素２０はピストンに接続されている。この装置の詳細は、出願人の特許文献１に記載されている。特許文献１は、本発明による転動装置の可能な機械的特徴を開示している。
【００３５】
一実施形態では、転動装置１０は、例えば椅子またはテーブルなどの家具に組み込まれている。別の実施形態では、可動壁要素（movable wall element）の断面に組み込まれている。
【００３６】
転動装置１０が移動させる機構に組み込まれると、それらは共に、移動される機構に取り付けられた転動装置を含むシステムを構成し、少なくとも一つは上述の本発明による転動装置１０である。
【００３７】
移動される機構が椅子である場合、各椅子の脚には転動装置が装着され、これらの内、三つは、転動要素のみを含む受動装置（passive device）であり、一つは本発明による能動転動装置１０である。他の転動装置の構成は、例えば二つの受動転動装置と二つの能動転動装置１０とすることも可能である。この構成によって、椅子の移動をより適切に制御できる。
【００３８】
上述のように、転動装置１０は、転動装置１０の制御装置４０に対する移動命令を受信するためのワイヤレス受信機３０を備えている。命令は、例えば、様々なシナリオを制御するためのアプリケーションがインストールされたリモートコントロール、タブレット、またはスマートフォンを介して送信されてもよい。
【００３９】
本発明は、表面に沿って第１の位置から第２の位置に例えば家具および壁要素などの少なくとも一つの機構を自律的に移動させる方法によってさらに定義され、この方法はいくつかのステップを含む。
【００４０】
最初のステップは、移動させる機構に転動装置を設け（providing）、且つ組み込む（integrating）ことであり、その少なくとも一つが、上述による転動装置１０である。
【００４１】
次のステップは、ワイヤレス受信機３０によって転動装置１０の制御装置４０で移動命令を受信することである。受信機３０に接続された制御装置４０は、駆動命令（driving instruction）を含む送信された順序を解釈し、それに作用するマイクロコントローラ（micro-controller）を含むことができる。
【００４２】
転動装置１０の制御装置４０が移動命令を受信すると、位置装置５０から周囲に対するその位置を要求する。これが現在および第１の位置である。
【００４３】
現在の位置が確立されると、転動要素２０の移動を制御する移動命令が制御装置４０で実行される。移動は、転動装置１０の前記取得された第１の位置と、経路および第２の位置を含む受信された移動命令に基づいている。
【００４４】
これに基づいて、方法の最後のステップは、少なくとも一つの転動装置１０を取り付けた機構を、経路に従って第１の位置から第２の位置に移動することである。
【００４５】
本発明の方法の一実施形態では、少なくとも二つの転動装置１０を、表面に沿って第１の位置から第２の位置に移動される機構に接続される。例えばタブレットから移動命令を全ての転動装置１０に送信される。
【００４６】
一実施形態では、選択された転動装置１０は、移動される機構に接続された他の転動装置１０の動きを制御するマスター装置（master device）として機能するように設定される。他の転動装置はスレーブ装置（slave device）として機能し、マスター装置からの命令に応答する。マスター装置は、受信したワイヤレス信号に応じて特定の経路をセットし、特定の経路に応じて移動を追跡するように命令する制御信号をスレーブ装置に送信する。
【００４７】
本発明によるいくつかの転動装置１０が、同時に制御されるように設定された場合、各転動装置には固有のＩＤが与えられる。このようにして、すべての転動装置１０は個々の移動命令を受信することができる。
【００４８】
一方の転動装置１０が他の転動装置１０のマスターとして機能している場合、同じ機構に接続された他の転動装置１０のそれぞれを制御する。
【００４９】
本発明の別の実施形態は、予め設定されたシナリオに従っていくつかの機構のグループの移動を制御する方法を含む。そのような機構は、例えば、椅子、テーブル、可動壁を含む。
【００５０】
この構成を設定すると、グループ内の機構の一つに接続された一つの転動装置１０は、他の機構のマスターとして機能するように設定される。したがって、グループに含まれる他の機構の移動を調整する。このようにして、機構の様々な移動と計画を備えた様々なシナリオを確立できる。
【００５１】
本発明の一実施形態によれば、移動される機構のグループに含まれる機構の移動および経路を定義するシナリオを作成および記録するために、以下のステップが実行される。
【００５２】
第１のステップは、グループに含まれる全ての転動装置１０の第１の位置情報を記録することである。この位置情報は、移動する機構が配置される部屋を表示する画面で視覚化することができる。
【００５３】
次のステップは、グループに含まれる全ての転動装置１０の第２の位置情報を記録することである。これは、画面に視覚化された機構を移動することで実行できる。タッチ画面（touch screen）の場合、様々な機構を新しい場所にドラッグすることができる。このステップの後、グループに含まれる全ての機構の第１および第２の位置が確立される。
【００５４】
この方法のステップは、グループに含まれる他の転動装置１０のマスターとして機能する転動装置１０の一つを選択することである。他のステップに対するこのステップの順序は必須ではない。
【００５５】
最後のステップは、転動装置１０の移動経路と移動順序を設定することである。これは、各転動装置１０の固有のＩＤを使用することで可能である。
【００５６】
手順全体のセットアップを視覚化して、例えばＢｌｕｅｔｏｏｔｈを使用してワイヤレス信号を送信することで遠隔制御（remote control）にも役立つ例えばタブレット上で設定することができる。タブレットにインストールされたソフトウェアアプリケーションは、特定のシナリオに応じて、部屋と、部屋内で第１の位置から第２の位置に移動する壁や家具の位置を表示することができる。ユーザーは、例えば第１の位置から第２の位置に家具や壁をドラッグ／ドロップするジェスチャーによって、画面に表示される様々な機構をドラッグアンドドロップすることができる。プログラムは、各機構の開始位置と停止位置に基づいて、機構が自律的に移動するときにたどる特定の経路を作成することができる。これに基づいて、様々なシナリオまたはシーンを作成して装置に保存できる。
【００５７】
他の種類の様々なセットアップのシナリオを制御することも可能であり、例えば、音声やジェスチャー、およびタッチ画面を備えた装置以外の装置での触覚入力などがある。
【００５８】
以下は、本発明をどのように実施および使用できるかのいくつかの例である。
【００５９】
一つのシナリオによれば、本発明による解決策は、教室内の机および椅子を自動的に再配置するために使用することができる。特定のシナリオに応じた、例えば単一またはグループのセットアップなど、机と椅子の様々なセットアップの構成を設定することができる。
【００６０】
これは、教室の床を清掃するときにも役立つ。清掃を行う場合、清掃シナリオを実行することで、全ての机と椅子を通常の教室のセットアップから、机と椅子が壁に沿って配置される新しいセットアップに移動するので、床に空きスペースを残すことができる。このシナリオは、自律的に移動する机や椅子と対話するようにプログラムされた清掃ロボットと組み合わせることができる。
【００６１】
本発明による解決策を使用できる別の可能なシナリオは、会議の種類に応じて様々なセットアップのシナリオを容易に設定できる会議場である。可動壁は、例えば、一つの大きな部屋や四つの小さ目の部屋など、部屋の数を規定することができる。無限の構成と可能性がある。
【００６２】
本発明による転動装置を使用できるさらに別の例は、一つ以上の転動装置をパレットに組み込ませることである。これによって移動および制御可能なパレットが提供される。パレットは通常、様々な種類の商品の一時保管用に使用される。パレットを取り扱うときは、それらをある位置から別の位置に移動する。これは通常、トラックで行われる。本発明による転動装置をパレットに組み込むことにより、外部装置によってパレットを扱ったり、移動したりする必要がなく、表面に沿ってある位置から別の位置に移動するように制御することができる。上述の様々なシナリオに従って、転動装置を有するいくつかのパレットを制御することができる。
【００６３】
別の例は、表面に沿ってある場所から別の場所に様々な製品を輸送するための支持構造または骨組み（framework）に一つ以上の転動装置を組み込むことである。
【００６４】
転動装置は、屋内および屋外の両方で使用することができる。例えば、リグや船の甲板など沖合設備（offshore installation）など、陸上および沖合で使用することができる。
【００６５】
本発明による転動装置は、機構を製造するときに機構に組み込むことができ、または元々可動することを意図されていない機構に後付けすることができる。本発明は、建物の屋内および屋外の両方で使用することができる。
【００６６】
転動装置の様々な使用例から理解されるように、当業者は、転動装置１０によって表面に沿って第１の位置から第２の位置へ機構の自律的な移動を可能になる本発明の他の可能な応用分野を理解するであろう。
【図１】
2020509454.tif 000003
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
機構に組み込まれたときに操作可能であり、表面に沿って第１の位置から第２の位置に前記機構を自律的に移動させるシステムを共に構成する転動装置（rolling arrangement）（１０）であって、前記転動装置のハウジングの第１の端部に配置され、前記転動装置（１０）が動かされるときに、前記表面と接触する転動要素（rolling element）を含み、
前記転動装置（１０）は、前記転動装置（１０）の前記ハウジング内に配置された以下の装置：即ち、
互いに接続されたワイヤレス受信機（３０）および制御装置（control device）（４０）と、
前記制御装置（４０）に接続され、その周囲に対する転動装置（１０）の前記位置を取得する位置手段（５０）と、さらに、
前記制御装置および前記転動要素（２０）に接続され、前記位置手段（５０）によって取得された前記第１の位置に従って前記転動要素（２０）の移動を駆動および制御する駆動手段（６０）と、移動命令および前記第２の位置を含む受信ワイヤレス信号と、を含み、さらに、
前記ハウジング内に配置された前記装置に接続された電源（７０）と、を備えることを特徴とする、転動装置。
【請求項２】
前記制御装置（controller）（４０）に接続されたワイヤレス送信機（８０）をさらに備える、請求項１に記載の転動装置。
【請求項３】
前記転動要素（２０）に接続された前記駆動手段（６０）は、一つ以上のボールまたはチェーンを備えることを特徴とする、請求項１または２に記載の転動装置。
【請求項４】
前記シリンダー内の上部位置と下部位置との間で前記ピストンが移動でき、且つ前記転動要素（２０）が前記ピストンに接続されている前記ハウジング内で往復運動可能に配置されたピストンをさらに備えることを特徴とする、請求項１乃至３の何れか一項に記載の転動装置。
【請求項５】
前記転動装置が家具に組み込まれることを特徴とする、請求項１乃至４の何れか一項に記載の転動装置。
【請求項６】
前記転動装置が可動壁要素に組み込まれることを特徴とする、請求項１乃至５の何れか一項に記載の転動装置。
【請求項７】
前記転動装置がパレットに組み込まれることを特徴とする、請求項１乃至６の何れか一項に記載の転動装置。
【請求項８】
表面に沿って第１の位置から第２の位置に少なくとも一つの機構を自律的に移動させる方法であって、前記方法は以下のステップ：即ち、
前記機構に組み込まれたときに操作可能な転動装置（１０）であって、前記転動装置（１０）が動くときに表面と接触するように、前記転動装置（１０）のハウジングの第１の端部に配置された転動要素（２０）を含む、転動装置（１０）を用意し、
移動されるべき前記機構と共にシステムを構成する前記転動装置（１０）を組み込むと共に、前記機構が移動するときに前記表面と接触するように配置し、
さらに前記転動装置（１０）は、前記転動装置（１０）の前記ハウジング内に配置される以下の装置：即ち、互いに接続されたワイヤレス受信機（３０）および制御装置（４０）と、前記制御装置（４０）に接続され、その周囲に対する前記転動装置の前記位置を取得する位置手段（５０）と、前記制御装置（４０）および前記転動要素（２０）に接続され、前記転動要素（２０）の移動を駆動および制御する駆動手段（６０）と、を含み、
前記ワイヤレス受信機（３０）による前記転動装置（１０）の前記制御装置（４０）内での移動命令を受信し、
前記転動装置（１０）内の前記位置手段（５０）に、その周囲に対する最初の現在位置を取得させ、
前記転動要素（２０）の前記移動（movement）を制御するために前記制御装置（４０）で受信した移動命令を実行し、前記取得された前記転動装置（１０）の第１の位置および経路と第２の位置を含む前記受信された前記移動命令に基づいて移動し、
前記少なくとも一つの転動装置（１０）が組み込まれた前記機構を前記経路に応じて、前記第１の位置から前記第２の位置に移動することを特徴とする、方法。
【請求項９】
請求項８に記載の方法であって、さらに、
移動される前記機構内に少なくとも二つの転動装置（１０）が組み込まれ、さらに、
前記機構に接続された他の前記転動装置（１０）の前記動きを制御するマスターとして機能するように、一つの転動装置（１０）を配置することを特徴とする、方法。
【請求項１０】
請求項８に記載の方法であって、さらに、
エリア内で移動をする機構のグループに含まれる二つ以上の機構に転動装置（１０）が組み込まれ、さらに、
前記グループに含まれる他の前記機構に接続された他の前記転動装置（１０）の動きを制御するマスターとして機能する装置に接続された一つの転動装置（１０）を配置することを特徴とする、方法。
【請求項１１】
請求項１０に記載の方法であって、いくつかの前記機構のグループの移動は、予め設定されたシナリオに従って制御されることを特徴とする、方法。
【請求項１２】
請求項１１に記載の方法であって、シナリオは：
グループに含まれる転動装置（１０）の第１の位置情報を記録し、
グループに含まれる転動装置（１０）の第２の位置情報を記録し、
グループに含まれる他の転動装置（１０）のマスターとして機能する一つの転動装置（１０）を選択し、さらに、
前記転動装置（１０）の移動経路および移動順序を設定することによって確立されることを特徴とする、方法。
【請求項１３】
転動装置（１０）の動きを、遠隔制御を用いて制御されることを特徴とする、請求項８乃至１２の何れかに記載の方法。
【請求項１４】
前記遠隔制御は、音声、ジェスチャーまたは触覚入力によって制御される、請求項１３に記載の方法。
【国際調査報告】
2020509454.tif 000004
2020509454.tif 000005
2020509454.tif 000006